(57)【要約】【課題】建具に適用されるガラス外れ止め部材において、ガラス外れ止め部材のガラスへの掛かりを十分確保できる構成を提供すること。【解決手段】樹脂製の框体３０及び框体３０の内側に納められるガラス２５を備え、ガラス２５の端部の見込方向一側の面を押圧する押し縁部材２７を備え、ガラス外れ止め部材４０は、見込方向においてガラス２５の端部の見込方向一側の面と押し縁部材２７との間に配置され、ガラス２５の端部に見込方向一側で対面する押さえ部４２１を有する押さえ片４２と、押さえ片４２を保持し、締結孔４１ｃを通じて締結部材４５によって縦框３３，３４又は横框３１，３２に固定される保持部４１と、を有し、押さえ部４２１は、ガラス２５の端部の見込方向一側の面に沿って延びるとともに見付方向において押し縁部材２７よりも框体３０の内側に突出する突出部４２１ｂを有する。【選択図】図７
2019085834.tif 000002
【特許請求の範囲】
【請求項１】
樹脂製の框体及び前記框体の内側に納められるガラスを備える建具であって、
前記框体に取り付けられ、前記ガラスの端部の見込方向一側の面を押圧する押し縁部材と、
前記框体を構成する縦框及び横框のそれぞれに固定されるガラス外れ止め部材と、を備え、
前記ガラス外れ止め部材は、
見込方向において前記ガラスの端部の見込方向一側の面と前記押し縁部材との間に配置され、前記ガラスの端部に見込方向一側で対面する押さえ部を有する押さえ片と、
前記押さえ片を保持し、締結孔を通じて締結部材によって前記縦框又は前記横框に固定される保持部と、を有し、
前記押さえ部は、前記ガラスの端部の見込方向一側の面に沿って延びるとともに見付方向において前記押し縁部材よりも前記框体の内側に突出する突出部を有する建具。
【請求項２】
前記突出部は、突出する先端側が円弧状に形成される請求項１に記載の建具。
【請求項３】
樹脂製の框体及び前記框体の内側に納められるガラスを備える建具に適用され、前記框体を構成する縦框及び横框のそれぞれに固定されるガラス外れ止め部材であって、
前記ガラス外れ止め部材は、
見込方向において前記ガラスの端部の見込方向一側の面と前記框体に取り付けられるとともに前記ガラスの端部の見込方向一側の面を押圧する押し縁部材との間に配置され、前記ガラスの端部に見込方向一側で対面する押さえ部を有する押さえ片と、
前記押さえ片を保持し、締結孔を通じて締結部材によって前記縦框又は前記横框に固定される保持部と、を有し、
前記押さえ部は、見付方向において前記押し縁部材よりも前記框体の内側に突出する突出部を有するガラス外れ止め部材。
【発明の詳細な説明】
【技術分野】
【０００１】
本発明は、ガラス外れ止め部材を備える建具及びガラス外れ止め部材に関する。
【背景技術】
【０００２】
従来、障子の框体の内側に納められるガラスが外れないように、框体にガラス外れ止め部材を配置する建具が知られている。この種の建具を開示するものとして例えば特許文献１がある。
【０００３】
特許文献１には、合成樹脂製の窓枠又は窓框に複層ガラスを装着してなる複層ガラス窓の防火構造において、窓枠又は窓框における内周溝部に、耐熱性ガラス外れ止めを設けた複層ガラス窓の防火構造について記載されている。例えば、特許文献１には、室内側ガラス外れ止めと、この室内側ガラス外れ止めに係脱可能に組み付けられる室外側ガラス外れ止めとから構成される耐熱性ガラス外れ止めが示される。
【先行技術文献】
【特許文献】
【０００４】
【特許文献１】特開２０１０−２４８８３６号公報
【発明の概要】
【発明が解決しようとする課題】
【０００５】
樹脂製の框体に固定されるガラス外れ止め部材は、ガラスの外周縁からガラスの内側に所定の掛かり幅で配置されている。框体からガラス側にガラス外れ止め部材が飛び出すと意匠性が損なわれる可能性があるため、ガラス外れ止め部材のガラスへの掛かり幅は、ガラス外れ止め部材が、框体からガラス側に飛び出さないように調整されている。
【０００６】
しかし、ガラス外れ止め部材のガラスへの掛かり幅を框体からガラス側に飛び出さないように調整されると、ガラス外れ止め部材のガラスへの掛かりが浅くなりがちであり、ガラスの脱落が生じるおそれがあった。この点、ガラス外れ止め部材のガラスへの掛かりを確保する点で改善の余地があった。
【０００７】
本発明は、建具に適用されるガラス外れ止め部材において、ガラス外れ止め部材のガラスへの掛かりを十分確保できる構成を提供することを目的とする。
【課題を解決するための手段】
【０００８】
本発明は、樹脂製の框体（例えば、後述の框体３０）及び前記框体の内側に納められるガラス（例えば、後述のガラス２５）を備える建具（例えば、後述の建具１）であって、前記框体に取り付けられ、前記ガラスの端部の見込方向一側の面を押圧する押し縁部材（例えば、後述の押し縁部材２７）と、前記框体を構成する縦框（例えば、後述の吊元側縦框３３、戸先側縦框３４）及び横框（例えば、後述の上框３１、下框３２）のそれぞれに固定されるガラス外れ止め部材（例えば、後述のガラス外れ止め部材４０）と、を備え、前記ガラス外れ止め部材は、見込方向において前記ガラスの端部の見込方向一側の面と前記押し縁部材との間に配置され、前記ガラスの端部に見込方向一側で対面する押さえ部（例えば、後述の押さえ部４２１）を有する押さえ片（例えば、後述の押さえ片４２）と、前記押さえ片を保持し、締結孔（例えば、後述の締結孔４１ｃ）を通じて締結部材（例えば、後述のネジ４５）によって前記縦框又は前記横框に固定される保持部（例えば、後述の保持金具４１）と、を有し、前記押さえ部は、前記ガラスの端部の見込方向一側の面に沿って延びるとともに見付方向において前記押し縁部材よりも前記框体の内側に突出する突出部（例えば、後述の押さえ延出部４２１ｂ）を有する建具に関する。
【０００９】
また、前記突出部は、突出する先端側が円弧状に形成されることが好ましい。
【００１０】
また、本発明は、樹脂製の框体及び前記框体の内側に納められるガラスを備える建具に適用され、前記框体を構成する縦框及び横框のそれぞれに固定されるガラス外れ止め部材であって、前記ガラス外れ止め部材は、見込方向において前記ガラスの端部の見込方向一側の面と前記框体に取り付けられるとともに前記ガラスの端部の見込方向一側の面を押圧する押し縁部材との間に配置され、前記ガラスの端部に見込方向一側で対面する押さえ部を有する押さえ片と、前記押さえ片を保持し、前記縦框又は前記横框に固定される保持部と、を有し、前記押さえ部は、見付方向において前記押し縁部材よりも前記框体の内側に突出する突出部を有する。
【発明の効果】
【００１１】
本発明によれば、建具に適用されるガラス外れ止め部材において、ガラス外れ止め部材のガラスへの掛かりを十分確保できる構成を提供することができる。
【図面の簡単な説明】
【００１２】
【図１】本発明の一実施形態に係る建具を示す正面図である。
【図２】本実施形態の建具の縦断面図である。
【図３】本実施形態の建具の横断面図である。
【図４】本実施形態の建具が備える戸先側縦框に固定されるガラス外れ止め部材を見付方向の吊元側から見た図である。
【図５】本実施形態の建具が備える上框に固定されるガラス外れ止め部材を下側から見た図である。
【図６】本実施形態のガラス外れ止め部材の分解斜視図である。
【図７】本実施形態の建具に適用されるガラス外れ止め部材及びその周囲を示す拡大横断面図である。
【図８】本実施形態の建具に適用されるガラス外れ止め部材及びその周囲を示す拡大縦断面図である。
【発明を実施するための形態】
【００１３】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１４】
図１は、本発明の一実施形態に係る建具１を示す正面図である。本実施形態の建具１は、防火仕様の縦辷り窓である。まず、建具１の全体構成について説明する。本実施形態の建具１は、建物開口部に固定される枠体１０と、枠体１０の内側に開閉可能に取り付けられる障子２０と、を備える。
【００１５】
枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１６】
図２は、本実施形態の建具１の縦断面図である。上枠１１の内部は、見込方向で複数の空間に区画されており、室外側から室内側の順に中空部１１ａ，１１ｂ，１１ｃが形成される。中空部１１ｃには金属製の上枠芯材１１ｄが配置される。また、上枠１１の室内側下部には、下方に延びる延出部１１ｅが形成され、延出部１１ｅの室外側の見付面にはクッション材１１ｆが配置される。同様に、下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００１７】
図３は、本実施形態の建具１の横断面図である。吊元側縦枠１３の内部も、見込方向で区画された複数の中空部１３ａ，１３ｂ，１３ｃが形成され、中空部１３ｂには金属製の縦枠芯材１３ｄが配置される。また、吊元側縦枠１３の室外側には見付方向戸先側に延びる延出部１３ｅが形成され、該延出部１３ｅにもクッション材１３ｆが配置される。
【００１８】
戸先側縦枠１４の内部にも、見込方向で区画された複数の中空部１４ａ，１４ｂ，１４ｃが形成され、中空部１４ｂには金属製の縦枠芯材１４ｄが配置される。戸先側縦枠１４の室外側にも見付方向吊元側に延びる延出部１４ｅが形成され、該延出部１４ｅにもクッション材１４ｆが配置される。
【００１９】
図３に示すように、枠体１０の内側の隅（内隅）には枠側コーナー金具４６がそれぞれ配置される（図２において図示省略）。枠側コーナー金具４６は、４隅のそれぞれに配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ及び縦枠芯材１４ｄ）に締結固定される。より具体的には、枠体１０の戸先側上部では、上枠芯材１１ｄと縦枠芯材１４ｄが枠側コーナー金具４６によって連結され、吊元側上部では、上枠芯材１１ｄと縦枠芯材１３ｄが連結される。同様に、戸先側下部では、下枠芯材１２ｄと縦枠芯材１４ｄが枠側コーナー金具４６によって連結され、吊元側下部では、下枠芯材１２ｄと縦枠芯材１３ｄが連結される。
【００２０】
障子２０は、ガラス２５と、ガラス２５を囲うように構成される框体３０と、を含むように構成される。ガラス２５は、框体３０の内側に納められる。
【００２１】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。
【００２２】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２３】
上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。押し縁部材２７は、上框３１（框体３０）に取り付けられ、ガラス２５の端部の見込方向一側の面を押圧する。
【００２４】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。押し縁部材２７は、下框３２（框体３０）に取り付けられ、ガラス２５の端部の見込方向一側の面を押圧する。
【００２５】
吊元側縦框３３の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、金属製の室外側縦框芯材３３ｅが配置される。室内側縦框芯材３３ｄ及び室外側縦框芯材３３ｅは、何れも吊元側縦框３３の長手方向に沿って延びている。吊元側縦框３３の室外側には、吊元側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。押し縁部材２７は、吊元側縦框３３（框体３０）に取り付けられ、ガラス２５の端部の見込方向一側の面を押圧する。
【００２６】
戸先側縦框３４の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、金属製の室外側縦框芯材３４ｅが配置される。室内側縦框芯材３４ｄ及び室外側縦框芯材３４ｅは、何れも戸先側縦框３４の長手方向に沿って延びている。戸先側縦框３４の室外側には、吊元側縦枠１３の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。押し縁部材２７は、戸先側縦框３４（框体３０）に取り付けられ、ガラス２５の端部の見込方向一側の面を押圧する。
【００２７】
本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、吊元側縦框３３及び戸先側縦框３４）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００２８】
障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。本実施形態では、上アーム部材６１及び下アーム部材６２は、何れも框体３０に対して金属により板状に成形される補強材６５を介して連結される。
【００２９】
障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。戸先側縦枠１４の内側の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、戸先側縦框３４の戸先側にスライド嵌合された状態でハンドル５５に連結されている。
【００３０】
次に、框体３０の内側の見込面に配置されるガラス外れ止め部材４０について説明する。図１に示すように、框体３０（上框３１、下框３２、吊元側縦框３３及び戸先側縦框３４）の内側の見込面にはガラス外れ止め部材４０が１又は複数配置される。なお、框体３０の内側の見込面とは、框体３０におけるガラス２５に対向する面である。
【００３１】
図４は、本実施形態の建具１が備える戸先側縦框３４に固定されるガラス外れ止め部材４０を見付方向の吊元側から見た図である。なお、図４では、加熱発泡材やセッティングブロックの図示が省略されるとともに、ガラス２５が鎖線で示されている。
【００３２】
図４に示すように、戸先側縦框３４の内側の見込面には、４個のガラス外れ止め部材４０が間隔をあけて配置される（図４参照）。同様に吊元側縦框３３の見込面にも４個のガラス外れ止め部材４０が配置される。以下の説明において吊元側縦框３３又は戸先側縦框３４に配置されるガラス外れ止め部材４０の符号をガラス外れ止め部材４０ａとして説明する。
【００３３】
図５は、本実施形態の建具１が備える上框３１に固定されるガラス外れ止め部材４０を下側から見た図である。なお、図５でも、加熱発泡材やセッティングブロックの図示が省略されるとともに、ガラス２５が鎖線で示されている。
【００３４】
図５に示すように、上框３１の内側の見込面には、中央にガラス外れ止め部材４０が１個配置される（図５参照）。同様に、下框３２の内側の見込面にもガラス外れ止め部材４０が１個配置される。以下の説明において上框３１又は下框３２に配置されるガラス外れ止め部材４０の符号をガラス外れ止め部材４０ｂとして説明する。
【００３５】
本実施形態では、ガラス外れ止め部材４０ａとガラス外れ止め部材４０ｂは、同じ形状のガラス外れ止め部材４０である。次に、このガラス外れ止め部材４０の構成について説明する。図６は、本実施形態のガラス外れ止め部材４０の分解斜視図である。
【００３６】
図６に示すように、本実施形態のガラス外れ止め部材４０は、框体３０に固定される保持金具４１と、保持金具４１によって保持される押さえ片４２と、を備える。本実施形態では、保持金具４１及び押さえ片４２は、何れも金属製（例えば、ステンレス鋼）である。
【００３７】
保持金具４１は、框体３０との間に隙間を形成する台部４１ａと、台部４１ａの両側（見込方向に直交する）に配置される取付部４１ｂと、を備える。両側の取付部４１ｂのそれぞれには、見込方向に細長い締結孔４１ｃが形成される。この締結孔４１ｃに締結部材としてのネジ４５が締結されることにより、保持金具４１が框体３０に固定される。台部４１ａは、固定された状態で框体３０の見込面との間に隙間を形成する。台部４１ａの室内側の端部には、室内側から室外側に切り欠かれた係合孔４１ｄが形成される。また、台部４１ａの室内側の端部には、ガラス２５側に向かって延出する延出片４１ｅが形成される。延出片４１ｅは、係合孔４１ｄを跨る壁状に形成されており、保持金具４１に係合された状態の押さえ片４２に対向する。
【００３８】
押さえ片４２は、ガラス２５の端部に対向する押さえ部４２１と、押さえ部４２１の下端部（見付方向における框体３０側の端部）から室内側に延びる係合部４２２と、押さえ部４２１の下端部（見付方向における框体３０側の端部）における係合部４２２の両側において室内側に延びる足部４２３と、を備える。
【００３９】
押さえ部４２１は、見込方向においてガラス２５の端部の見込方向の室外側（見込方向一側）の面と押し縁部材２７との間に配置され、ガラス２５の端部に見込方向の室外側（見込方向一側）で対面する。押さえ部４２１は、押さえ基部４２１ａと、押さえ延出部４２１ｂ（突出部）と、を有する。押さえ基部４２１ａ及び押さえ延出部４２１ｂは、一枚の板材により一体的に形成され、ガラス２５の端部の見込面に平行な平面状に形成される。
【００４０】
押さえ基部４２１ａは、係合部４２２の室外側の端部に接続され、長方形状に形成される。
押さえ延出部４２１ｂは、押さえ基部４２１ａにおける押さえ部４２１と反対側の端部に接続される。押さえ延出部４２１ｂは、押さえ部４２１と反対側の端部から、ガラス２５の端部の見込方向の室外側（見込方向一側）の面に沿って延びるとともに、見付方向において押し縁部材２７よりも框体３０の内側に突出する。押さえ延出部４２１ｂは、框体３０の内側の先端が凸となるように突出する円弧状に形成される。
【００４１】
押さえ片４２の係合部４２２の爪部４２２ａが保持金具４１の係合孔４１ｄに係合することで押さえ片４２が保持金具４１に係合固定される。本実施形態の係合部４２２は、その先端がガラス２５側に突出する爪状に形成されており、台部４１ａの裏側を通って爪状の爪部４２２ａが係合孔４１ｄの端面に係合する。
【００４２】
押さえ片４２の押さえ延出部４２１ｂが押し縁部材２７よりも見付方向における框体３０の内側に突出するため、押さえ部４２１とガラス２５の端部との重なり部分が、押さえ延出部４２１ｂが形成されない場合よりも多くなり、ガラス２５の端部との掛かり部分が増加する。これにより、押さえ片４２におけるガラス２５の端部との掛かり部分を増加でき、ガラス２５の脱落を一層防止できる。
【００４３】
また、押さえ延出部４２１ｂは、室外側から見た場合に、室外側の外部から視認される。複数の押さえ延出部４２１ｂが、見付方向において押し縁部材２７よりも框体３０の内側に突出し、突出する先端側が凸となる円弧状に形成されるため、室外側の外部に露出して視認される部分は、図１に示すように、框体３０からガラス２５側に突出する円弧状に形成される。また、複数の押さえ延出部４２１ｂは、同じ形状で、見付方向においてガラス２５の端部側からガラスの内側に突出する。そのため、デザイン性を向上でき、意匠性を確保できる。
【００４４】
本実施形態では、押さえ片４２は、保持金具４１に係合した状態でも見込方向で若干の移動が可能となっている。保持金具４１と押さえ片４２の係合を解除する場合は、係合部４２２の爪部４２２ａを框体３０側に押し込んで係合を解除し、押さえ片４２を室内外側に移動させる。
【００４５】
框体３０に固定されたガラス外れ止め部材４０の取付状態について説明する。まず、吊元側縦框（縦框）３３に固定されるガラス外れ止め部材４０ａについて説明する。図７は、本実施形態の建具１に適用されるガラス外れ止め部材４０ａ及びその周囲を示す拡大横断面図である。
【００４６】
図７に示すように、ガラス外れ止め部材４０が吊元側縦框３３に固定された状態では、押さえ部４２１が室外側ガラス２５ａの吊元側端部に室外側で対面した状態となる。また、複数の押さえ延出部４２１ｂは、見付方向において押し縁部材２７よりも框体３０の内側に突出し、突出する先端側が凸となるように円弧状に形成される。そのため、複数の押さえ延出部４２１ｂは、室外側から見た場合に、先端側の円弧状の部分が、図１に示すように、框体３０からガラス２５側に突出して、室外側の外部から視認される。
【００４７】
ガラス外れ止め部材４０ａは、保持金具４１を框体３０に取り付けた状態で加熱発泡材３８を配置し、ガラス２５を嵌め込んだ状態で押さえ片４２を保持金具４１に係合させる。加熱発泡材３８は、ガラス２５の４周を囲う帯状に形成されており、ガラス外れ止め部材４０に差し掛かる部分では、保持金具４１の台部４１ａのガラス２５側の面に加熱発泡材３８が載った状態となる。加熱発泡材３８は、接着剤、接着テープ等を用いた接着固定やネジ等を用いた締結固定等、適宜の方法で框体３０に固定される。
【００４８】
保持金具４１は、吊元側縦框３３の中空部３３ｂに配置される室外側縦框芯材３３ｅに締結孔４１ｃを通じてネジ４５が締結固定されることにより、吊元側縦框３３の見込面に固定される。上述のように、締結孔４１ｃは、見込方向に長い長孔となっている。従って、吊元側縦框３３及び室外側縦框芯材３３ｅに対する加工位置を変えることなく、保持金具４１の取付位置を見込方向（室内外方向）で調整することが可能となっている。例えば、室外側ガラス２５ａの室外側面から保持金具４１の延出片４１ｅまでの長さを距離ｄ１とすると、距離ｄ１は保持金具４１の取付位置によって変わることになる。押さえ片４２は保持金具４１によって位置が決まるので、ガラス２５と押さえ片４２の位置関係は保持金具４１の取付位置によって調整することができる。
【００４９】
なお、本実施形態では、押さえ片４２は、保持金具４１に係合された状態でも見込方向に若干移動可能となっているが、この移動範囲も保持金具４１の位置によって決まるので、何れにしても保持金具４１の取付位置によってガラス２５とガラス外れ止め部材４０ａの位置関係が調整されることになる。
【００５０】
以上、図７を参照して吊元側縦框３３に固定されるガラス外れ止め部材４０ａについて説明したが、戸先側縦框３４でも同様の構成及び方法でガラス外れ止め部材４０ａが吊元側縦框３３と同様に距離ｄ１の設定で戸先側縦框３４に固定される。
【００５１】
次に、上框（横框）３１に固定されるガラス外れ止め部材４０ｂについて説明する。図８は、本実施形態の建具１に適用されるガラス外れ止め部材４０ｂ及びその周囲を示す拡大縦断面図である。
【００５２】
図８に示すように、ガラス外れ止め部材４０ｂが上框３１に固定された状態では、押さえ部４２１が室外側ガラス２５ａの上端部に室外側で対面した状態となる。また、複数の押さえ延出部４２１ｂは、見付方向において押し縁部材２７よりも框体３０の内側に突出し、突出する先端側が凸となるように円弧状に形成される。そのため、複数の押さえ延出部４２１ｂは、室外側から見た場合に、先端側の円弧状の部分が、框体３０からガラス２５側に突出して、室外側の外部から視認される。
【００５３】
なお、ガラス外れ止め部材４０ｂを上框３１に固定する方法は、吊元側縦框３３に固定する場合と基本的に同様であるが、ガラス２５とガラス外れ止め部材４０ｂの位置関係は、ガラス２５とガラス外れ部材４０ａの位置関係とは異なるように、保持金具４１が固定される。本実施形態では、縦框（吊元側縦框３３及び戸先側縦框３４）に設定されるガラス２５に対するガラス外れ止め部材４０の位置関係を示す距離ｄ１よりも、上框３１のガラス２５に対するガラス外れ止め部材４０の位置関係を示す距離ｄ２の方が長くなるように設定される。即ち、上框３１のガラス外れ止め部材４０は、縦框（吊元側縦框３３及び戸先側縦框３４）に比べて相対的に隙間が大きくなるようにレイアウトされる。ここで、複層ガラス２５は、縦と横で反りや歪みの生じる大きさが異なるため、ガラスの変形を吸収できるように距離ｄ２の方が距離ｄ１よりも大きく構成されている。
【００５４】
以上、図８を参照して上框３１に固定されるガラス外れ止め部材４０ｂについて説明したが、下框３２でも同様の構成及び方法でガラス外れ止め部材４０ｂが上框３１と同様に距離ｄ２の設定で下框３２に固定される。
【００５５】
以上説明した上記実施形態の構成によれば、以下のような効果を奏する。
建具１は、樹脂製の框体３０及び框体３０の内側に納められるガラス２５を備え、ガラス２５の端部の見込方向一側の面を押圧する押し縁部材２７と、框体３０を構成する縦框３３，３４及び横框３１，３２のそれぞれに固定されるガラス外れ止め部材４０と、を備え、ガラス外れ止め部材４０は、見込方向においてガラス２５の端部の見込方向一側の面と押し縁部材２７との間に配置され、ガラス２５の端部に見込方向一側で対面する押さえ部４２１を有する押さえ片４２と、押さえ片４２を保持し、縦框３３，３４又は横框３１，３２に固定される保持金具４１と、を有し、押さえ部４２１は、ガラス２５の端部の見込方向一側の面に沿って延びるとともに見付方向において押し縁部材２７よりも框体３０の内側に突出する押さえ延出部４２１ｂを有する。
【００５６】
これにより、押さえ片４２の押さえ延出部４２１ｂが押し縁部材２７よりも見付方向における框体３０の内側に突出するため、押さえ部４２１とガラス２５の端部との重なり部分が、押さえ延出部４２１ｂが形成されない場合よりも多くなり、ガラス２５の端部との掛かり部分が増加する。これにより、押さえ片４２におけるガラス２５の端部との掛かり部分を増加でき、ガラス２５の脱落を一層防止できる。
【００５７】
また、本実施形態では、押さえ延出部４２１ｂは、突出する先端側が凸となる円弧状に形成される。これにより、室外側の外部に露出して視認される部分は、框体３０からガラス２５側に突出する円弧状に形成される。従って、デザイン性を向上でき、意匠性を確保できる。
【００５８】
また、本実施形態では、押さえ部４２１の押さえ延出部４２１ｂは、金属製（例えば、ステンレス鋼）である。また、押し縁部材２７は、樹脂製である。そのため、火災発生時に樹脂製の押し縁部材２７が溶融しても、押し縁部材２７よりも内側に突出する金属製の押さえ延出部４２１ｂは溶融しにくいため、防火性能を向上できる。
【００５９】
以上、本発明の好ましい実施形態について説明したが、本発明は、上述の実施形態に制限されるものではなく、框体及びガラスを備える種々の建具に本発明を適用できる。また、ガラス外れ止め部材の構成も適宜変更することができる。例えば、室内外の両方に押さえ片を有する構成や室内側にのみ押さえ片を有する構成とすることも場合によっては可能である。
【００６０】
上記実施形態では、開閉可能な障子を備える建具として縦辷り窓を例に説明したが、横辷り窓や引違い窓のような開閉可能な障子を備える建具にも本発明を適用できる。また、ＦＩＸ窓のような框体の内側に窓を固定する建具に本発明を適用することができる。
【００６１】
また、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【符号の説明】
【００６２】
１  建具
２５  ガラス
２７  押し縁部材
３０  框体
３１  上框（横框）
３２  下框（横框）
３３  吊元側縦框（縦框）
３４  戸先側縦框（縦框）
４０  ガラス外れ止め部材
４１  保持金具（保持部）
４２  押さえ片
４２１  押さえ部
４２１ｂ  押さえ延出部（突出部）
【図１】
2019085834.tif 000003
【図２】
2019085834.tif 000004
【図３】
2019085834.tif 000005
【図４】
2019085834.tif 000006
【図５】
2019085834.tif 000007
【図６】
2019085834.tif 000008
【図７】
2019085834.tif 000009
【図８】
2019085834.tif 000010